(57)【要約】【課題】装置構成を複雑化することなく操作者の試薬補充判断に関する負荷を低減した分析装置を提供すること。【解決手段】本発明にかかる分析装置１は、操作者による試薬補充判断の支援のために、分析受付が行なわれた検体に試薬量が不足すると判断した場合に該試薬量が不足する試薬の追加または測定実行のいずれかを選択肢として表した選択メニューを表示することによって、装置構成を複雑化することなく操作者の試薬補充判断に関する負荷を低減することが可能になる。【選択図】      図３
2008224243.tif 000002
【特許請求の範囲】
【請求項１】
設置される試薬容器内の試薬量を検出する検出手段を備え、前記試薬容器内の試薬を用いて分析受付が行なわれた検体を分析する分析装置において、
前記分析受付が行なわれた検体に対し前記検出手段によって検出された前記試薬量では試薬が不足すると判断した場合に不足する試薬の追加または測定実行のいずれかを選択肢として表した選択メニューを表示手段に表示させる制御手段と、
不足する試薬の追加または測定実行のいずれかを選択できる選択手段と、
を備えたことを特徴とする分析装置。
【請求項２】
前記制御手段は、前記選択手段によって不足する試薬の追加が選択された場合にキャリブレーション処理の内容を設定できるキャリブレーション設定メニューを前記表示手段に表示させることを特徴とする請求項１に記載の分析装置。
【請求項３】
前記キャリブレーション処理の内容設定を指示する指示手段をさらに備え、
前記検出手段は、前記選択手段によって不足する試薬の追加が選択され新たに前記試薬が追加された場合に該追加された試薬を含む試薬量を検出し、
前記制御手段は、検出された前記試薬量の試薬を用いて前記指示手段によって指示されたキャリブレーション処理と前記分析受付が行なわれた検体に対する測定処理とを行なった場合における測定時間、測定可能である検体数および不足する試薬量を演算した後に該演算した測定時間、測定可能である検体数および不足する試薬量を前記表示手段に表示させることを特徴とする請求項２に記載の分析装置。
【請求項４】
前記制御手段は、キャリブレーション処理と試薬ブランク測定による検量線検証処理と精度管理用試料測定による精度管理処理との少なくとも一つを設定できる、または、前記キャリブレーション処理と前記試薬ブランク測定による検量線検証処理と前記精度管理用試料測定による精度管理処理とのいずれも設定しない選択ができる第１の前記キャリブレーション設定メニューを前記表示手段に表示させることを特徴とする請求項２または３に記載の分析装置。
【請求項５】
前記制御手段は、キャリブレーターの測定回数、試薬ブランクの測定回数、精度管理用試料の種別および前記精度管理用試料の測定回数のうち少なくとも一つを設定できる第２の前記キャリブレーション設定メニューを前記表示手段に表示させることを特徴とする請求項２〜４のいずれか一つに記載の分析装置。
【請求項６】
前記制御手段は、前記選択手段によって測定実行が選択された場合、前記分析受付が行なわれた検体のうち試薬が不足する検体を示す一覧を作成することを特徴とする請求項１〜５のいずれか一つに記載の分析装置。
【発明の詳細な説明】
【技術分野】
【０００１】
この発明は、設置される試薬容器内の試薬量を検出する検出手段を備え、試薬容器内の試薬を用いて分析受付が行なわれた検体を分析する分析装置に関する。
【背景技術】
【０００２】
従来、血液や体液等の検体を自動的に分析する装置として、検体および１種類以上の試薬を反応容器に分注し、検体と試薬との化学変化を生じさせた後、この検体と試薬との反応液の光学的特性を測定して自動的に検体を分析する分析装置が知られている。このような分析装置においては、測定の途中で試薬がなくなった場合、操作者は、装置を一度停止させ新しい試薬をセットし、キャリブレーション処理や精度管理測定を実施してからでないと、試薬不足によって測定されなかった検体の測定を再開できなかった。
【０００３】
このため、従来においては、試薬不足による測定停止を防止するため、現に装置内に設置されている試薬の残存量を出力する分析装置や予備の試薬庫を設けて予備の試薬庫から補充したい試薬を自動的に取り出し試薬庫に移動させてセットするオートローディング機能を備えた分析装置が提案されている（たとえば、特許文献１および特許文献２参照）。
【０００４】
【特許文献１】特開２００３−３１５３４４号公報
【特許文献２】特開２００４−３４０６４９号公報
【発明の開示】
【発明が解決しようとする課題】
【０００５】
しかしながら、現に装置内に設置されている試薬の残存量を出力する分析装置においては、操作者は、出力された試薬残存量をもとに測定予定の検体数や分析項目数に加えキャリブレーション処理および精度管理試料測定処理のために要する試薬量も想定した上で、試薬残存量が測定に足りるか否かを判断する必要があり、この判断は操作者に大きな負担となっていた。特に、この分析装置においては、装置操作に慣れていない人が操作した場合には、試薬の残存量が測定に足りるか否かをうまく判断できず、測定中に試薬が不足してしまう場合があった。
【０００６】
また、オートローディング機能を備えた分析装置においては、予備の試薬庫、試薬の取り出し機構および試薬庫への移動機構が必要になり、装置構成が複雑および装置サイズが大型化するため、装置の製造コストが増加するという問題があった。
【０００７】
本発明は、上記した従来技術の欠点に鑑みてなされたものであり、装置構成を複雑化することなく操作者の試薬補充判断に関する負荷を低減した分析装置を提供することを目的とする。
【課題を解決するための手段】
【０００８】
上述した課題を解決し、目的を達成するために、この発明にかかる分析装置は、設置される試薬容器内の試薬量を検出する検出手段を備え、前記試薬容器内の試薬を用いて分析受付が行なわれた検体を分析する分析装置において、前記分析受付が行なわれた検体に対し前記検出手段によって検出された前記試薬量では試薬が不足すると判断した場合に不足する試薬の追加または測定実行のいずれかを選択肢として表した選択メニューを表示手段に表示させる制御手段と、不足する試薬の追加または測定実行のいずれかを選択できる選択手段と、を備えたことを特徴とする。
【０００９】
また、この発明にかかる分析装置は、前記制御手段は、前記選択手段によって不足する試薬の追加が選択された場合にキャリブレーション処理の内容を設定できるキャリブレーション設定メニューを前記表示手段に表示させることを特徴とする。
【００１０】
また、この発明にかかる分析装置は、前記キャリブレーション処理の内容設定を指示する指示手段をさらに備え、前記検出手段は、前記選択手段によって不足する試薬の追加が選択され新たに前記試薬が追加された場合に該追加された試薬を含む試薬量を検出し、前記制御手段は、検出された前記試薬量の試薬を用いて前記指示手段によって指示されたキャリブレーション処理と前記分析受付が行なわれた検体に対する測定処理とを行なった場合における測定時間、測定可能である検体数および不足する試薬量を演算した後に該演算した測定時間、測定可能である検体数および不足する試薬量を前記表示手段に表示させることを特徴とする。
【００１１】
また、この発明にかかる分析装置は、前記制御手段は、キャリブレーション処理と試薬ブランク測定による検量線検証処理と精度管理用試料測定による精度管理処理との少なくとも一つを設定できる、または、前記キャリブレーション処理と前記試薬ブランク測定による検量線検証処理と前記精度管理用試料測定による精度管理処理とのいずれも設定しない選択ができる第１の前記キャリブレーション設定メニューを前記表示手段に表示させることを特徴とする。
【００１２】
また、この発明にかかる分析装置は、前記制御手段は、キャリブレーターの測定回数、試薬ブランクの測定回数、精度管理用試料の種別および前記精度管理用試料の測定回数のうち少なくとも一つを設定できる第２の前記キャリブレーション設定メニューを前記表示手段に表示させることを特徴とする。
【００１３】
また、この発明にかかる分析装置は、前記制御手段は、前記選択手段によって測定実行が選択された場合、前記分析受付が行なわれた検体のうち試薬が不足する検体を示す一覧を作成することを特徴とする。
【発明の効果】
【００１４】
本発明にかかる分析装置においては、操作者による試薬補充判断支援のために、分析受付が行なわれた検体に対し試薬が不足すると判断した場合に不足する試薬の追加または測定実行のいずれかを選択肢として表した選択メニューを表示することによって、装置構成を複雑化することなく操作者の試薬補充判断に関する負荷を低減することが可能になる。
【発明を実施するための最良の形態】
【００１５】
以下、図面を参照して、この発明の実施の形態である分析装置について、血液や尿などの検体に対して生化学分析を行なう分析装置を例に説明する。なお、この実施の形態によりこの発明が限定されるものではない。また、図面の記載において、同一部分には同一の符号を付している。
【００１６】
本実施の形態においては、操作者による試薬補充判断支援のために各種選択メニューを表示している。図１は、実施の形態にかかる分析装置の構成を示す模式図である。図１に示すように、実施の形態にかかる分析装置１は、分析対象である検体および試薬を反応容器２１にそれぞれ分注し、反応容器２１内で生じる反応を光学的に測定する測定機構２と、測定機構２を含む分析装置１全体の制御を行なうとともに測定機構２における測定結果の分析を行なう制御機構３とを備える。分析装置１は、これらの二つの機構が連携することによって検体内における検出対象物の濃度を検出する生化学分析を順次自動的に行なう。
【００１７】
まず、測定機構２について説明する。測定機構２は、大別して反応テーブル１０、第１試薬庫１１、第１試薬分注機構１２、検体移送部１３、検体分注機構１４、第２試薬庫１５、第２試薬分注機構１６、攪拌部１７、測光部１８および洗浄部１９を備える。
【００１８】
反応テーブル１０は、反応容器２１への検体や試薬の分注、反応容器２１の攪拌、洗浄または測光を行なうために反応容器２１を所定の位置まで移送する。この反応テーブル１０は、制御部３１の制御のもと、図示しない駆動機構が駆動することによって、反応テーブル１０の中心を通る鉛直線を回転軸として回動自在である。反応テーブル１０の上方と下方には、図示しない開閉自在な蓋と恒温槽がそれぞれ設けられている。
【００１９】
第１試薬庫１１は、反応容器２１内に分注される２種類の試薬のうち、最初に分注される第１試薬が収容された第１試薬容器１１ａを複数収納できる。第１試薬庫１１には、複数の収納室が等間隔で配置されており、各収納室には第１試薬容器１１ａが着脱自在に収納される。第１試薬庫１１は、制御部３１の制御のもと、図示しない駆動機構が駆動することによって、第１試薬庫１１の中心を通る鉛直線を回転軸として時計回りまたは反時計回りに回動自在であり、所望の第１試薬容器１１ａを第１試薬分注機構１２による試薬吸引位置まで移送する。第１試薬庫１１の上方には、開閉自在な蓋（図示せず）が設けられている。また、第１試薬庫１１は保冷されている。このため、第１試薬庫１１内に第１試薬容器１１ａが収納され、蓋が閉じられたときに、第１試薬容器１１ａ内に収容された試薬を保冷状態に保ち、第１試薬容器１１ａ内に収容された試薬の蒸発や変性を抑制することができる。
【００２０】
第１試薬容器１１ａの側面部には、第１試薬容器１１ａに収容された試薬に関する試薬情報が記録された記録媒体が付されている。たとえば、記録媒体は、第１試薬容器１１ａに収容された試薬が使用される分析項目、試薬の名称、Ｌｏｔ情報、ボトル情報などを記録する。記録媒体は、符号化された各種の情報を表示しており、光学的に読み取られる。
【００２１】
第１試薬庫１１の外周部には、この記録媒体を光学的に読み取る第１試薬読取部１１ｂが設けられている。第１試薬読取部１１ｂは、記録媒体に対して赤外光または可視光を発し、記録媒体からの反射光を処理することによって、記録媒体の情報を読み取る。また、第１試薬読取部１１ｂは、記録媒体を撮像処理し、撮像処理によって得られた画像情報を解読して、記録媒体の情報を取得してもよい。第1試薬読取部１１ｂは、読み取った記録媒体の情報を、この記録媒体が付された第１試薬容器１１ａの第１試薬庫１１内のポジションに対応づけて制御部３１に出力する。
【００２２】
第１試薬分注機構１２は、第１試薬の吸引および吐出を行なうプローブが先端部に取り付けられたアーム１２ａを備える。アーム１２ａは、鉛直方向への昇降および自身の基端部を通過する鉛直線を中心軸とする回転を自在に行なう。第１試薬分注機構１２は、図示しない吸排シリンジまたは圧電素子を用いた吸排機構を備える。第１試薬分注機構１２は、第１試薬庫１１上の所定位置に移動された分析対象である検体に指示された分析項目に対応する第１試薬容器１１ａ内の試薬をプローブ内に吸引し、アーム１２ａを図中時計回りに旋回させ、反応テーブル１０上の所定位置に搬送された反応容器２１に分注する。また、第１試薬分注機構１２は、プローブ先端に静電容量変化などを利用して液面高さを検出できるセンサーが設けられており、検出した各第１試薬容器１１ａに収容された試薬の液面高さを制御部３１に出力する。
【００２３】
検体移送部１３は、血液や尿等、液体である検体を収容した複数の検体容器１３ａを保持し、図中の矢印方向に順次移送する複数の検体ラック１３ｂを備える。検体移送部１３上の所定位置に移送された検体容器１３ａ内の検体は、検体分注機構１４によって、反応テーブル１０上に配列して搬送される反応容器２１に分注される。検体容器１３ａの側面部には、検体容器１３ａに収容された検体に関する検体情報が記録された記録媒体が付されている。検体情報として、検体を提供した提供者に関する情報、検体容器１３ａに収容された検体に対して分析を指示された分析項目、該検体の採取日などがある。
【００２４】
検体移送部１３外には、この検体容器１３ａに付された記録媒体を光学的に読み取る検体読取部１３ｃが設けられている。この検体読取部１３ｃは、第１試薬読取部１１ｂと同様に、記録媒体に対して赤外光または可視光を発し、記録媒体からの反射光を処理することによって、記録媒体の情報を読み取る。また、検体読取部１３ｃは、記録媒体を撮像処理し、撮像処理によって得られた画像情報を解読して、記録媒体の情報を取得してもよい。検体読取部１３ｃは、読み取った検体情報を制御部３１に出力する。
【００２５】
検体分注機構１４は、第１試薬分注機構１２と同様に、検体の吸引および吐出を行なうプローブが先端部に取り付けられたアーム１４ａと、図示しない吸排シリンジまたは圧電素子を用いた吸排機構を備える。検体分注機構１４は、上述した検体移送部１３上の所定位置に移送された検体容器１３ａの中からプローブ内に検体を吸引し、アーム１４ａを図中反時計回りに旋回させ検体を分注する。
【００２６】
第２試薬庫１５は、反応容器２１内に分注される２種類の試薬のうち検体が分注された後に分注される第２試薬が収容された第２試薬容器１５ａを複数収納できる。第２試薬庫１５には、第１試薬庫１１と同様に、第２試薬容器１５ａが着脱自在に収納される複数の収納室が設けられている。第２試薬庫１５は、第１試薬庫１１と同様に、時計回りまたは反時計回りに回動自在であり、所望の第２試薬容器１５ａを第２試薬分注機構１６による試薬吸引位置まで移送する。第１試薬庫１１と同様に、第２試薬庫１５の上方には、開閉自在な蓋（図示せず）が設けられ、第２試薬庫１５は保冷されている。第２試薬容器１５ａの側面部には、第１試薬容器１１ａと同様に、第２試薬容器１５ａに収容された第２試薬に関する試薬情報が記録された記録媒体が付されている。また、第２試薬庫１５の外周部には、第１試薬読取部１１ｂと同様の機能を有し第２試薬容器１５ａに付された記録媒体を光学的に読み取る第２試薬読取部１５ｂが設けられている。
【００２７】
第２試薬分注機構１６は、第１試薬分注機構１２と同様に、第２試薬の吸引および吐出を行なうプローブが先端部に取り付けられたアーム１６ａと、図示しない吸排シリンジまたは圧電素子を用いた吸排機構を備え、第２試薬庫１５上の所定位置に移動された分析対象である検体に指示された分析項目に対応する第２試薬容器１５ａ内の試薬をプローブ内に吸引後、反応テーブル１０上の所定位置に搬送された反応容器２１に分注する。また、第２試薬分注機構１６は、プローブ先端に静電容量変化などを利用して液面高さを検出できるセンサーが設けられており、検出した各第２試薬容器１５ａに収容された試薬の液面高さを制御部３１に出力する。攪拌部１７は、反応容器２１に分注された第１試薬、検体および第２試薬の攪拌を行ない、反応を促進させる。
【００２８】
測光部１８は、所定波長の光を反応容器２１に発し、この反応容器２１内の試薬と検体との反応液を通過した光を受光して分光強度測定を行なって、吸光度等を測定する。測光部１８による測定結果は、制御部３１に出力され、分析部３４において分析される。測光部１８は、反応容器２１に白色光を照射し、反応液を透過後に分光して所定波長の出力を検出するようにしたものでもよい。
【００２９】
洗浄部１９は、図示しないノズルによって、測光部１８による測定が終了した反応容器２１内の混合液を吸引して排出するとともに、洗剤や洗浄水等の洗浄液を注入および吸引することで洗浄を行なう。この洗浄した反応容器２１は再利用される。検査内容によっては１回の測定終了後に反応容器２１を廃棄し、図示しないが、新たな反応容器２１を自動供給するようにしてもよい。
【００３０】
つぎに、制御機構３について説明する。制御機構３は、制御部３１、入力部３３、分析部３４、記憶部３５、出力部３６および送受信部３８を備える。測定機構２および制御機構３が備えるこれらの各部は、制御部３１に電気的に接続されている。
【００３１】
制御部３１は、ＣＰＵ等を用いて構成され、分析装置１の各部の処理および動作を制御する。制御部３１は、これらの各構成部位に入出力される情報について所定の入出力制御を行ない、かつ、この情報に対して所定の情報処理を行なう。制御部３１は、また、第１試薬分注機構１２および第２試薬分注機構１６によって検出された各第１試薬容器１１ａおよび各第２試薬容器１５ａに収容された試薬の液面高さをもとに、分析装置１内に設置された各第１試薬容器１１ａ内および各第２試薬容器１５ａ内の試薬量を検出する。
【００３２】
入力部３３は、キーボード、マウス等を用いて構成され、検体の分析に必要な諸情報や分析動作の指示情報等を外部から取得する。分析部３４は、測光部１８によって測定された吸光度などをもとに、検体内における検出対象物の濃度を求め、検体の成分分析等を行なう。記憶部３５は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部３５は、ＣＤ−ＲＯＭ、ＤＶＤ−ＲＯＭ、ＰＣカード等の記憶媒体に記憶された情報を読み取ることができる補助記憶装置を備えてもよい。
【００３３】
出力部３６は、プリンタ、スピーカー等を用いて構成され、検体の分析結果を含む諸情報を出力する。出力部３６は、ディスプレイを用いて構成され、検体の分析結果や各種選択メニューを表示出力する表示部３７を備える。送受信部３８は、図示しない通信ネットワークを介して所定の形式にしたがった情報の送受信を行なうインターフェースとしての機能を有する。
【００３４】
また、制御部３１は、表示部３７の表示処理を制御する表示制御部３２を備える。表示制御部３２は、制御部３１が分析受付が行なわれた検体に対し検出した試薬量では試薬が不足すると判断した場合に、不足する試薬の追加または測定実行のいずれかを選択肢として表した選択メニューを表示部３７に表示させる。この場合、入力部３３は、特許請求の範囲における選択手段として機能し、不足する試薬の追加または測定実行のいずれかを選択した選択情報を制御部３１に入力する。表示制御部３２は、入力部３３によって不足する試薬の追加を選択する選択情報が入力された場合、キャリブレーション処理の内容を設定できるキャリブレーション設定メニューを表示部３７に表示させる。入力部３３は、特許請求の範囲における指示手段として機能し、キャリブレーション処理の内容設定を指示する指示情報を制御部３１に入力する。表示制御部３２は、キャリブレーション設定メニューとして、キャリブレーション処理、試薬ブランク測定による検量線検証処理および精度管理用試料測定による精度管理処理の少なくとも一つを設定できる第１のキャリブレーション設定メニュー、キャリブレーターの測定回数、試薬ブランクの測定回数、精度管理用試料の種別および精度管理用試料の測定回数を設定できる第２のキャリブレーション設定メニューを表示部３７に表示させる。なお、第１のキャリブレーション設定メニューにおいては、キャリブレーション処理、試薬ブランク測定による検量線検証処理および精度管理用試料測定による精度管理処理のいずれも設定しない選択をすることができる。
【００３５】
制御部３１は、入力部３３によって不足する試薬の追加を指示する指示情報が入力され、新たに試薬が追加された場合に、第１試薬分注機構１２および第２試薬分注機構１６によって検出された新たに追加された試薬の液面高さをもとに、該追加された試薬を含む試薬量を検出する。そして、制御部３１は、検出した試薬量の試薬を用いて入力部３３によって指示されたキャリブレーション処理と分析受付が行なわれた検体に対する測定処理を行なった場合における測定時間、測定可能である検体数および不足する試薬量を演算する。表示制御部３２は、制御部３１が演算した測定時間、設置されている試薬量で測定可能である検体数および不足する試薬量を表示部３７に表示させる。さらに、制御部３１は、入力部３３の選択情報によって測定実行が選択された場合、分析受付が行なわれた検体のうち試薬が不足する検体を示す一覧を作成する。
【００３６】
つぎに、分析装置１による測定処理について説明する。図２は、分析装置１における測定処理に関する処理手順を示すフローチャートである。図２に示すように、分析装置１においては、分析装置１起動後、第１試薬分注機構１２、第２試薬分注機構１６および制御部３１は、現に装置内に設置される各第１試薬容器１１ａ内および各第２試薬容器１５ａ内の試薬量を検出する試薬チェック処理を行なう（ステップＳ２）。つぎに、制御部３１は、検出した各第１試薬容器１１ａ内および各第２試薬容器１５ａ内の試薬量で測定可能である検体数を演算する（ステップＳ４）。つぎに、操作者による入力部３３の入力処理によって入力部３３から入力された分析項目および検体数などの分析受付を指示する情報をもとに、制御部３１は、検体受付処理を行なう（ステップＳ６）。
【００３７】
制御部３１は、検出した各第１試薬容器１１ａ内および各第２試薬容器１５ａ内の試薬量で測定可能である検体数Ｎと受付検体数Ｍとを比較し、測定可能数Ｎ＞受付検体数Ｍであるか否かを判断する（ステップＳ８）。制御部３１は、測定可能数Ｎ＞受付検体数Ｍであると判断した場合（ステップＳ８：Ｙｅｓ）、分析を受け付けた検体は途中で試薬不足が発生しない試薬充足検体として識別し（ステップＳ１０）、測定処理を行なう（ステップＳ２６）。
【００３８】
これに対し、測定可能数Ｎ＞受付検体数Ｍでないと判断した場合（ステップＳ８：Ｎｏ）、分析を受け付けた検体は測定途中で試薬不足が見込まれる試薬不足見込検体として識別する（ステップＳ１２）。そして、表示制御部３２は、試薬不足である旨を表示部３７に表示させる（ステップＳ１４）。
【００３９】
この結果、表示部３７は、たとえば図３に例示するような試薬補充選択メニューＭ１を画面上に表示出力する。この試薬補充選択メニューＭ１には、分析を受け付けた検体に対し測定途中で試薬不足が見込まれる分析項目、試薬不足量を対応づけたテーブルＴ１が示されている。テーブルＴ１には、分析を受け付けた検体に対し測定途中で試薬不足が見込まれる分析項目を示す列Ｌ１１、各分析項目に対応する各試薬の第１試薬庫１１、第２試薬庫１５におけるポジションを示す列Ｌ１２および各分析項目における不足テスト数および不足試薬量を示す列Ｌ１３が設けられている。さらに、テーブルＴ１には、試薬不足が見込まれる分析項目に対する各アクションを選択できる選択欄が設けられている。操作者は、この試薬補充選択メニューＭ１を確認することによって、分析を受け付けた検体に対し測定途中で試薬不足が見込まれる分析項目および試薬不足量を認識することができる。
【００４０】
つぎに、分析装置１においては、分析を受け付けた検体に対し測定途中で試薬不足が見込まれる分析項目に対応する試薬を追加するか否かを判断する試薬追加判断処理が行なわれる（ステップＳ１６）。そして、制御部３１は、試薬追加判断処理において、試薬追加があったか否かを判断する（ステップＳ１７）。制御部３１は、試薬追加判断処理において試薬追加がないと判断した場合（ステップＳ１７：Ｎｏ）、分析を受け付けた検体は測定途中で試薬不足が発生する試薬不足発生検体として識別し（ステップＳ１８）、測定処理を行なう（ステップＳ２６）。
【００４１】
制御部３１は、試薬追加判断処理において試薬追加があったと判断した場合（ステップＳ１７：Ｙｅｓ）、キャリブレーション処理の内容などを判断するキャリブレーション判断処理を行なう（ステップＳ２０）。このキャリブレーション判断処理においては、キャリブレーション処理の内容とともに、キャリブレーション処理の内容に対応させた試薬不足量表示、試薬不足が発生する試薬に対する試薬再追加判断処理、および、試薬再追加判断が行なわれた検体を試薬追加検体として識別する識別処理が行なわれる。そして、制御部３１は、キャリブレーション判断処理において、分析を受け付けた検体は試薬追加検体であるか否かを判断する（ステップＳ２２）。制御部３１は、分析を受け付けた検体は試薬追加検体であると判断した場合（ステップＳ２２：Ｙｅｓ）、追加した試薬に対する試薬チェック処理を行なった後（ステップＳ２３）、ステップＳ８に戻り、測定可能数Ｎ＞受付検体数Ｍであるか否かを判断する。
【００４２】
一方、制御部３１は、分析を受け付けた検体は試薬追加検体でないと判断した場合（ステップＳ２２：Ｎｏ）、分析を受け付けた検体に対し分析装置内に設置または追加された試薬が充足しているか否かを判断する（ステップＳ２４）。制御部３１は、分析を受け付けた検体に対し分析装置内に設置または追加された試薬が充足していると判断した場合（ステップＳ２４：Ｙｅｓ）、分析を受け付けた検体は試薬充足検体として識別し（ステップＳ１０）、測定処理を行なう（ステップＳ２６）。これに対し、制御部３１は、分析を受け付けた検体に対し分析装置内に設置または追加された試薬が充足していないと判断した場合（ステップＳ２４：Ｎｏ）、分析を受け付けた検体は試薬不足発生検体として識別し（ステップＳ１８）、測定処理を行なう（ステップＳ２６）。
【００４３】
つぎに、図４を参照して、図２に示す試薬追加判断処理について説明する。図４に示すように、試薬追加判断処理においては、制御部３１は、分析を受け付けた検体が試薬追加検体であるか否かを判断する（ステップＳ３２）。
【００４４】
制御部３１が分析を受け付けた検体が試薬追加検体でないと判断した場合（ステップＳ３２：Ｎｏ）、表示制御部３２は、たとえば図３に例示する試薬補充の判断支援のために試薬補充選択メニューを表示部３７に表示させる（ステップＳ３４）。
【００４５】
図３に示すように、試薬補充選択メニューＭ１のテーブルＴ１には、前述したように、試薬不足が見込まれる分析項目に対する各アクションを選択できる選択欄が設けられている。操作者は、この試薬補充選択メニューＭ１を確認することによって、試薬不足が見込まれる各分析項目の試薬に対する対応処理を操作者自身が判断することなく、各分析項目の試薬に対する適切な対応処理を認識することができる。そして、操作者は、入力部３３を構成するマウス、キーボード、タッチパネルボタンを操作して、試薬不足が見込まれる分析項目に対するアクションを選択する。具体的には、まず、操作者は、編集ボタンＳｅ１を選択後、各アクションを選択できる各選択欄Ｃ１１〜Ｃ１９を選択する。テーブルＴ１には、分析項目「ＡＬＢ」に対しては、試薬交換を選択できる選択欄Ｃ１１、試薬渡りを選択できる選択欄Ｃ１２および試薬不足を無視して試薬補充を行なわないままの試薬実行を選択できる選択欄Ｃ１３が設けられている。操作者が、分析項目「ＡＬＢ」に対して試薬交換を選択する場合には、マウスを操作し、選択欄Ｃ１１上にカーソルを移動させて選択欄Ｃ１１を選択後、確定ボタンＳｄ１を選択すればよい。この結果、入力部３３から、分析項目「ＡＬＢ」に対して試薬交換を選択する旨を示す選択情報が制御部３１に入力される。
【００４６】
このように、制御部３１は、試薬不足が見込まれる分析項目に対する各アクションを示す選択情報を受信する（ステップＳ３６）。つぎに、制御部３１は、選択情報をもとに、試薬追加の有無を判断する（ステップＳ３８）。
【００４７】
制御部３１は、試薬不足無視のため試薬追加なしと判断した場合（ステップＳ３８：Ｎｏ）、そのまま試薬追加判断処理を終了する。この場合、この検体は、図２におけるステップＳ１８において試薬不足発生検体として識別される。
【００４８】
一方、制御部３１は、試薬交換または試薬渡りによって試薬追加が行われたと判断した場合（ステップＳ３８：Ｙｅｓ）、追加された試薬の試薬量を検出する試薬チェック処理を行なう（ステップＳ４０）。この場合、第１試薬庫１１、第２試薬庫１５に補充された第１試薬容器１１ａ、第２試薬容器１５ａの試薬情報および試薬庫内のポジションは、各補充された試薬に付された記録媒体が第１試薬読取部１１ｂ、第２試薬読取部１５ｂによって読み取られる。そして、制御部３１は、再度検出した試薬量で測定可能である検体数を演算して（ステップＳ４２）、試薬追加判断処理を終了する。
【００４９】
これに対し、制御部３１は、分析を受け付けた検体が試薬追加検体であると判断した場合（ステップＳ３２：Ｙｅｓ）、表示制御部３２は、試薬補充選択メニューを表示部３７に表示させる（ステップＳ４４）。試薬追加検体は、キャリブレーション判断処理に試薬再追加判断が行なわれた検体として識別された検体であり、試薬不足を無視して試薬追加を行なわないままの試薬実行を選択されたものではない。このため、ステップＳ３６において表示される試薬補充選択メニューは、図３に示すテーブルＴ１のアクションのうち試薬不足を無視して試薬追加を行なわないままの試薬実行を選択できる選択欄Ｃ１３，Ｃ１６，Ｃ１９を削除したテーブルを表示したものとなる。そして、制御部３１は、ステップＳ４４と同様に試薬不足が見込まれる分析項目に対する各アクションを示す選択情報を受信し（ステップＳ４６）、補充された試薬の試薬量を検出する試薬チェック処理を行なう（ステップＳ４０）。そして、制御部３１は、再度検出した試薬量で測定可能である検体数を演算して（ステップＳ４２）、試薬追加判断処理を終了する。
【００５０】
つぎに、図５を参照して、図２に示すキャリブレーション判断処理について説明する。キャリブレーション判断処理においては、まず、表示制御部３２は、たとえば図６に例示するキャリブレーション選択メニューＭ２を表示部３７に表示させる（ステップＳ５２）。
【００５１】
図６に例示するように、キャリブレーション選択メニューＭ２のテーブルＴ２には、測定途中で試薬不足が見込まれた分析項目を示す列Ｌ２１、各分析項目に対応する各試薬の第１試薬庫１１、第２試薬庫１５におけるポジションを示す列Ｌ２２、各分析項目に対応する各試薬のＬｏｔ情報を示す列Ｌ２４、キャリブレーション処理の内容変更に対するアクションを選択できる列Ｌ２６、各分析項目における試薬不足テスト数を示す列Ｌ２７が設けられている。なお、第１試薬庫１１、第２試薬庫１５におけるポジション、および各試薬のＬｏｔ情報などは、第１試薬読取部１１ｂおよび第２試薬読取部１５ｂによる読取情報にもとづいて表示される。そして、列Ｌ２６には、キャリブレーション処理、試薬ブランク測定処理および精度管理測定処理をそれぞれ選択可能である各選択欄が設けられている。たとえば分析項目「ＡＬＢ」においては、列Ｌ２６の欄Ｃ１２に、キャリブレーターと試薬ブランクとの双方を測定し検量線を設定するキャリブレーション処理を選択できる選択欄ＣＢ１、試薬ブランクのみを測定し検量線を検証する試薬ブランク測定処理を選択できる選択欄ＣＢ２、および、既知の濃度である精度管理用試料を測定し分析精度を管理する精度管理処理を選択できる選択欄ＣＢ３が設けられている。ここで、選択欄ＣＢ１または選択欄ＣＢ２と、選択欄ＣＢ３とは、重複選択が可能である。このため、操作者は、キャリブレーション処理のみ、試薬ブランク測定処理のみ、精度管理処理のみをそれぞれ選択できるとともに、キャリブレーション処理および精度管理処理の選択、または試薬ブランク測定処理および精度管理処理の選択が可能である。操作者は、編集ボタンＳｅ２を選択後、所望の処理に対応する各選択欄を選択し、確定ボタンＳｄ２を選択すればよい。この結果、入力部３３から、各分析項目に対するキャリブレーション処理内容の設定を指示するキャリブレーション選択情報が制御部３１に入力される。また、操作者は、キャリブレーション処理、試薬ブランク測定処理、精度管理処理のいずれも設定しない場合には、いずれの選択欄も変更せず、そのまま確定ボタンＳｄ２を選択すればよい。この場合、入力部３３から、キャリブレーション処理、試薬ブランク測定処理、精度管理処理とのいずれも新たに設定せず前回設定条件をそのまま用いることを指示するキャリブレーション選択情報が制御部３１に入力される。
【００５２】
このように、制御部３１は、各分析項目のキャリブレーション処理内容を設定するキャリブレーション選択情報を受信する（ステップＳ５４）。そして、制御部３１は、検出した試薬量の試薬を用いて入力部３３によって指示されたキャリブレーション処理と分析受付が行なわれた検体に対する測定処理とを行なった場合における試薬不足量を演算し、表示制御部３２は、たとえばキャリブレーション選択メニューＭ２における列Ｌ２７の各欄に演算した試薬不足量を表示部３７に表示させる（ステップＳ５６）。
【００５３】
たとえば、分析項目「ＡＬＢ」において、キャリブレーション処理と精度管理測定処理とが選択された場合、制御部３１は、キャリブレーション処理と精度管理測定処理とにおいて使用される試薬量を勘案して、分析受付が行なわれた検体に対する測定処理を行なった場合における試薬不足量を演算して、表示制御部３２は、表示部３７に対して、制御部３１によって演算された試薬不足量を欄Ｃ２２に表示させる。また、制御部３１は、試薬不足量とともに、検出した試薬量の試薬を用いて入力部３３によって指示されたキャリブレーション処理と分析受付が行なわれた検体に対する測定処理を行なった場合における測定時間、測定可能である検体数を演算し、表示制御部３２は、制御部３１が演算した測定時間、測定可能である検体数を表示部３７に表示させる。たとえば、制御部３１が演算した測定時間は、キャリブレーション選択メニューＭ２内のボックスＢ２内に表示される。このように、キャリブレーション選択メニューＭ２には、選択した各キャリブレーション処理の内容に対応させて試薬不足量、測定時間などが表示されるため、操作者は、キャリブレーション内容を検体分析状態に対応させて自由に選択できるとともに、操作者自身が設定したキャリブレーション内容での試薬不足発生や正確な測定時間などを迅速に認識することができる。
【００５４】
つぎに、表示制御部３２は、たとえば図７に例示するキャリブレーション設定メニューＭ３を表示部３７に表示させる（ステップＳ５８）。図７に例示するように、キャリブレーション設定メニューＭ３のテーブルＴ３には、測定途中で試薬不足が見込まれた分析項目を示す列Ｌ３１、各分析項目に対応する各試薬のＬｏｔ情報を示す列Ｌ３２、キャリブレーターの測定回数を選択できる選択欄を示す列Ｌ３３、試薬ブランクの測定回数を選択できる選択欄を示す列Ｌ３４、精度管理試料の種別および測定回数を選択できる選択欄を示す列Ｌ３５、各分析項目における試薬不足テスト数を示す列Ｌ３６が設けられている。操作者は、編集ボタンＳｅ３を選択後、各測定回数に対応する選択欄の数値を変更すればよい。たとえば、操作者は、分析項目「ＡＬＢ」において、選択欄Ｃ３１のキャリブレーションの測定回数を４回に、選択欄Ｃ３２の試薬ブランクの測定回数を４回に、選択欄Ｃ３３の精度管理試料の種別を「Ａ」に、選択欄Ｃ３４の精度管理試料「Ａ」の測定回数を１０回に変更したい場合には、カーソルＣを各欄上に移動させた後に所望の回数をキーボードの操作などによって入力すればよい。この結果、入力部３３から、分析項目「ＡＬＢ」に対するキャリブレーション処理、試薬ブランク測定処理、精度管理測定処理における測定回数が入力される。なお、操作者は、キャリブレーション設定メニューＭ３の前のキャリブレーション選択メニューＭ２に戻りたいときには、戻るボタンＳｂ３を選択すればよい。
【００５５】
このように、制御部３１は、各分析項目のキャリブレーション処理、試薬ブランク測定処理、精度管理測定処理における測定回数を設定するキャリブレーション設定情報を受信する（ステップＳ６０）。
【００５６】
そして、制御部３１は、検出した試薬量の試薬を用いて入力部３３によって指示されたキャリブレーション処理、試薬ブランク測定処理、精度管理測定処理における測定回数と分析受付が行なわれた検体に対する測定処理とを行なった場合における試薬不足量を演算し、表示制御部３２は、表示部３７に、たとえばキャリブレーション設定メニューＭ３における列Ｌ３６の各欄に演算した試薬不足量を表示させる（ステップＳ６２）。具体的には、分析項目「ＡＬＢ」においては、欄Ｃ３５に各欄Ｃ３１〜Ｃ３４によって設定されたキャリブレーション処理に対応させた試薬不足量が表示される。また、制御部３１は、試薬不足量とともに、検出した試薬量の試薬を用いて入力部３３によって指示されたキャリブレーション処理、試薬ブランク測定処理、精度管理測定処理における測定回数と分析受付が行なわれた検体に対する測定処理とを行なった場合における測定時間、測定可能である検体数を演算し、表示制御部３２は、制御部３１が演算した測定時間、測定可能である検体数を表示部３７に表示させる。たとえば、制御部３１が演算した測定時間は、キャリブレーション設定メニューＭ３内のボックスＢ３内に表示される。このように、キャリブレーション設定メニューＭ３には、選択した各キャリブレーション処理の内容に対応させて試薬不足量および測定時間が表示されるため、操作者は、キャリブレーション内容を検体分析状態に対応させて自由に選択できるとともに、操作者自身が設定したキャリブレーション内容での試薬不足発生や正確な測定時間を迅速に認識することができる。
【００５７】
そして、制御部３１は、キャリブレーション処理の内容を決定する処理決定情報を受信したか否かを判断する（ステップＳ６３）。この処理決定情報は、たとえばキャリブレーション設定メニューＭ３における終了欄Ｓｄ３が選択されることによって、入力部３３から制御部３１に入力される。制御部３１が処理決定情報を受信せず、再度キャリブレーション設定操作を指示する指示情報を受信したと判断した場合（ステップＳ６３：Ｎｏ）、表示制御部３２は、ステップＳ５２に戻りキャリブレーション選択メニューを表示部３７に表示させ、再度キャリブレーション処理の内容設定を可能とする。
【００５８】
一方、制御部３１が処理決定情報を受信したと判断した場合（ステップＳ６３：Ｙｅｓ）、キャリブレーション選択情報およびキャリブレーション設定情報によって設定されたキャリブレーション処理と分析受付が行なわれた検体に対する測定処理とを行なった場合に、分析受付が行なわれた検体の測定に対して試薬が充足するか否かを判断する（ステップＳ６４）。制御部３１は、試薬が充足すると判断した場合（ステップＳ６４：Ｙｅｓ）、キャリブレーション判断処理を終了する。
【００５９】
これに対し、制御部３１は、試薬が不足すると判断した場合（ステップＳ６４：Ｎｏ）、試薬再追加を指示されたか否かを判断する（ステップＳ６６）。この場合、表示制御部３２は、たとえば、図８に例示する試薬エラーメニューＭ５を表示部３７に表示させる。操作者は、入力部３３を操作することによって、試薬追加する旨を選択する選択欄または試薬追加しない旨を選択する選択欄のいずれかを選択する。制御部３１は、操作者の入力部３３の操作によって入力部３３から入力された試薬追加に関する選択情報を受信することによって、試薬再追加を指示されたか否かを判断する。制御部３１は、試薬再追加を指示されたと判断した場合（ステップＳ６６：Ｙｅｓ）、この分析受付が行なわれた検体を試薬追加検体として識別し（ステップＳ６８）、キャリブレーション判断処理を終了する。
【００６０】
また、制御部３１は、試薬再追加を指示されなかったと判断した場合（ステップＳ６６：Ｎｏ）、このまま測定を実行する旨の指示があるか否かを判断する（ステップＳ７０）。この場合、表示制御部３２は、たとえば、図９に例示するメニューＭ６を表示部３７に表示させる。操作者は、入力部３３を操作することによって、測定を実行する旨を選択する選択欄または測定を実行しない旨を選択する選択欄のいずれかを選択する。制御部３１は、操作者の入力部３３の操作によって入力部３３から入力された測定実行に関する選択情報を受信することによって、測定実行が指示されたか否かを判断する。制御部３１は、測定を実行する旨の指示があると判断した場合（ステップＳ７０：Ｙｅｓ）、このままキャリブレーション判断処理を終了する。この場合、この検体は、図２におけるステップＳ１８において試薬不足発生検体として識別される。また、制御部３１が測定を実行しない旨の指示があると判断した場合（ステップＳ７０：Ｎｏ）、ステップＳ５２に戻り、表示制御部３２はキャリブレーション選択メニューを表示部３７に表示させ、再度キャリブレーション処理の内容設定を可能とする。このように、キャリブレーション判断処理においては、キャリブレーション選択メニューおよびキャリブレーション設定メニューを表示し、操作者のキャリブレーション内容設定を支援している。
【００６１】
つぎに、図１０を参照して、図２に示す測定処理について説明する。図１０に示すように、測定処理においては、分析受付が行なわれた検体に対する測定を開始する（ステップＳ７２）。なお、制御部３１は、キャリブレーション処理内容が設定されている場合には、分析装置１内の各構成部位に対し、設定されたキャリブレーション処理を行なった上で検体に対する測定処理を実施させる。そして、制御部３１は、検体分注機構１４に対して各検体の分注処理を行なわせ、検体の分注処理を終了する（ステップＳ７４）。制御部３１は、入力部３３から入力された情報をもとに、検体の追加受付が行なわれた否かを判断する（ステップＳ７６）。
【００６２】
制御部３１は、検体の追加受付が行なわれていないと判断した場合（ステップＳ７６：Ｎｏ）、測定が行なわれた検体が試薬不足発生検体として識別されているか否かを判断する（ステップＳ７８）。制御部３１は、測定が行なわれた検体が試薬不足発生検体として識別されていないと判断した場合（ステップＳ７８：Ｎｏ）、測定処理を終了する。一方、制御部３１は、測定が行なわれた検体が試薬不足発生検体として識別されていると判断した場合（ステップＳ７８：Ｙｅｓ）、分析受付が行なわれた検体のうち試薬不足が発生した検体の一覧を再検リストとして作成して（ステップＳ８０）、測定処理を終了する。操作者は、この再検リストを確認することによって、分析受付が行なわれた検体のうち試薬不足が発生している検体を認識することができ、この再検リストを用いることによって試薬不足のため測定が行なわれなかった検体を正確に再度分析できる。
【００６３】
これに対し、制御部３１は、検体の追加受付が行なわれたと判断した場合（ステップＳ７６：Ｙｅｓ）、測定によって試薬が使用された後に各第１試薬容器１１ａ内および各第２試薬容器１５ａ内に残っている試薬量をもとに測定可能である検体数Ｎａを演算し、測定可能である検体数Ｎａと追加受付検体数Ｍａとを比較し、測定可能数Ｎａ＞追加受付検体数Ｍａであるか否かを判断する（ステップＳ８２）。
【００６４】
制御部３１は、測定可能数Ｎａ＞追加受付検体数Ｍａであると判断した場合（ステップＳ８２：Ｙｅｓ）、ステップＳ７２に戻り、追加受付した検体に対する測定を開始する。これに対し、制御部３１が測定可能数Ｎａ＞追加受付検体数Ｍａでないと判断した場合（ステップＳ８２：Ｎｏ）、表示制御部３２は、残っている試薬量の試薬で測定可能である検体数を表示部３７に表示させるとともに（ステップＳ８４）、図１１に例示する測定選択メニューＭ４を表示させる（ステップＳ８６）。図１１に示すように、測定選択メニューＭ４は、測定可能検体数と、試薬不足により測定が行なわれない検体数とを表示するとともに、追加受付された検体に対するアクションを選択できる選択欄が設けられている。測定メニューＭ４においては、受付可能な検体のみの測定を選択する選択欄、全検体に対する測定実行を選択する選択欄、全検体いずれの測定も行なわないことを選択する選択欄が設けられている。この場合、操作者は、入力部３３を操作することによって、所望のアクションを示す選択欄を選択した後、確定ボタンＳｄ４を選択する。この結果、入力部３３から、追加受付された検体に対する各アクションを指示する測定選択情報が制御部３１に入力される。
【００６５】
このように、制御部３１は、測定選択情報を受信し（ステップＳ８８）、追加受付検体に対する測定選択内容を判断する（ステップＳ９０）。制御部３１は、追加受付検体に対する測定選択内容が測定可能検体のみ測定である場合（ステップＳ９０：測定可能のみ）、ステップＳ７２に戻り、測定可能検体に対する測定を開始する。また、制御部３１は、追加受付検体に対する測定選択内容が全検体に対する測定実行である場合（ステップＳ９０：測定実行）、この追加受付された検体を測定途中で試薬不足が発生する試薬不足発生検体として識別し（ステップＳ９２）、ステップＳ７２に戻り、追加受付された全検体対する測定を開始する。なお、この試薬不足発生検体として識別された追加受付された検体に対しては、測定後にステップＳ８０において、再検リストが作成される。また、制御部３１は、追加受付検体に対する測定選択内容が追加受付検体を測定しないことを指示する場合（ステップＳ９０：測定しない）、測定処理を終了する。
【００６６】
このように、実施の形態にかかる分析装置１においては、分析受付が行なわれた検体に対し試薬が不足すると判断した場合に不足する試薬の追加または測定実行のいずれかを選択肢として表した操作者による試薬補充判断の支援のために試薬補充選択メニューを表示することによって、装置構成を複雑化することなく操作者の試薬補充判断に関する負荷を低減することが可能になる。また、分析装置１においては、試薬補充を行った分析項目のキャリブレーション処理を詳細に設定できるとともに設定されたキャリブレーション内容に対応させた試薬不足量および測定時間が表示されるキャリブレーション選択メニューＭ２およびキャリブレーション設定メニューＭ３を表示する。このため、操作者は、キャリブレーション内容を検体分析状態に対応させて自由に選択できるとともに、操作者自身が設定したキャリブレーション内容での試薬不足発生や測定時間を認識することができるため、分析装置１の操作を円滑に行なうことが可能になる。
【００６７】
なお、図１に示す分析装置１においては、試薬補充後に自動的に試薬容器に付された記録媒体を読み取り、補充された試薬容器の試薬庫内におけるポジション、Ｌｏｔ情報を試薬不足が見込まれた各分析項目に対応づけて表示した図６のキャリブレーション選択メニューＭ２および図７のキャリブレーション設定メニューＭ３を表示する場合について説明した。しかしながら、分析装置１は、試薬容器に付された記録媒体を読み取る機能を有しない場合には、図６のキャリブレーション選択メニューＭ２に代えて図１２に示すキャリブレーション選択メニューＭ２２を表示してもよい。また、分析装置１は、図７のキャリブレーション設定メニューＭ３に代えて、図１３に示すキャリブレーション設定メニューＭ３２を表示してもよい。図１２に示すように、キャリブレーション選択メニューＭ２２のテーブルＴ２２においては、試薬補充選択メニューＭ１で選択したアクションがそれぞれ示す列Ｌ２１２が設けられているとともに、各分析項目に対応する各試薬の第１試薬庫１１、第２試薬庫１５におけるポジションを示す列Ｌ２２２の各欄が設けられている。列Ｌ２２２においては、試薬庫のポジションをそれぞれ入力できるようになっており、操作者は、たとえば分析項目「ＬＤＨ」について第２試薬庫１５の「２３」のポジションに試薬を追加した場合には、編集ボタンＳｅ２を選択後、入力部３３を操作して、分析項目「ＬＤＨ」について第２試薬に対応する欄Ｃ２４に「２３」を入力すればよい。また、図１３に示すように、キャリブレーション設定メニューＭ３２は、キャリブレーション設定メニューＭ３における各試薬のＬｏｔ情報を示す列Ｌ３２が削除されたテーブルＴ３２が示されている。
【００６８】
また、上記実施の形態で説明した分析装置１は、あらかじめ用意されたプログラムをコンピュータシステムで実行することによって実現することができる。このコンピュータシステムは、所定の記録媒体に記録されたプログラムを読み出して実行することで分析装置の処理動作を実現する。ここで、所定の記録媒体とは、フレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステムの内外に備えられるハードディスクドライブ（ＨＤＤ）などのように、プログラムの送信に際して短期にプログラムを保持する「通信媒体」など、コンピュータシステムによって読み取り可能なプログラムを記録する、あらゆる記録媒体を含むものである。また、このコンピュータシステムは、ネットワーク回線を介して接続した管理サーバや他のコンピュータシステムからプログラムを取得し、取得したプログラムを実行することで分析装置の処理動作を実現する。
【図面の簡単な説明】
【００６９】
【図１】実施の形態１にかかる分析装置の構成を示す模式図である。
【図２】図１に示す分析装置における測定処理に関する処理手順を示すフローチャートである。
【図３】図１に示す表示部の表示画面の一例を示す図である。
【図４】図２に示す試薬追加判断処理の処理手順を示すフローチャートである。
【図５】図２に示すキャリブレーション判断処理の処理手順を示すフローチャートである。
【図６】図１に示す表示部の表示画面の一例を示す図である。
【図７】図１に示す表示部の表示画面の一例を示す図である。
【図８】図１に示す表示部の表示画面の一例を示す図である。
【図９】図１に示す表示部の表示画面の一例を示す図である。
【図１０】図２に示す測定処理の処理手順を示すフローチャートである。
【図１１】図１に示す表示部の表示画面の一例を示す図である。
【図１２】図１に示す表示部の表示画面の一例を示す図である。
【図１３】図１に示す表示部の表示画面の一例を示す図である。
【符号の説明】
【００７０】
１  分析装置
２  測定機構
３  制御機構
１０  反応テーブル
１１  第１試薬庫
１１ａ  第１試薬容器
１１ｂ  第１試薬読取部
１２  第１試薬分注機構
１３  検体移送部
１３ａ  検体容器
１３ｂ  検体ラック
１３ｃ  検体読取部
１４  検体分注機構
１２ａ，１４ａ，１６ａ  アーム
１５  第２試薬庫
１５ａ  第２試薬容器
１５ｂ  第２試薬読取部
１６  第２試薬分注機構
１７  攪拌部
１８  測光部
１９  洗浄部
２１  反応容器
３１  制御部
３２  表示制御部
３３  入力部
３４  分析部
３５  記憶部
３６  出力部
３７  表示部
３８  送受信部
【図１】
2008224243.tif 000003
【図２】
2008224243.tif 000004
【図３】
2008224243.tif 000005
【図４】
2008224243.tif 000006
【図５】
2008224243.tif 000007
【図６】
2008224243.tif 000008
【図７】
2008224243.tif 000009
【図８】
2008224243.tif 000010
【図９】
2008224243.tif 000011
【図１０】
2008224243.tif 000012
【図１１】
2008224243.tif 000013
【図１２】
2008224243.tif 000014
【図１３】
2008224243.tif 000015